(57)【要約】【課題】  印刷した文書のイメージと同じサイズで表示するのに、表示処理を高速にでき、使い勝手の良い画像表示装置を提供する。【解決手段】  画像表示装置は、第１の表示領域を有する液晶表示体８０と、前記第１の表示領域よりも大きいサイズの描画領域を持つ画像データを取得する画像データ取得部１０と、仮想的な第２の表示領域を、前記描画領域と略同じサイズで生成する仮想表示領域生成部４０と、前記画像データを、前記第２の表示領域に展開する画像データ展開部５０と、前記第２の表示領域に展開された前記画像データの中から、前記表示媒体で表示する画像を前記第１の表示領域に応じて規定する画像規定部６０と、前記規定された画像を前記表示媒体に表示する画像表示部７０とを備える。【選択図】      図３
2006023605.tif 000002
【特許請求の範囲】
【請求項１】
第１の表示領域を有する表示媒体と、
前記第１の表示領域よりも大きいサイズの描画領域を持つ画像データを取得する画像データ取得部と、
仮想的な第２の表示領域を、前記描画領域と略同じサイズで生成する仮想表示領域生成部と、
前記画像データを、前記第２の表示領域に展開する画像データ展開部と、
前記第２の表示領域に展開された前記画像データの中から、前記表示媒体で表示する画像を前記第１の表示領域に応じて規定する画像規定部と、
前記規定された画像を前記表示媒体に表示する画像表示部とを備えることを特徴とする画像表示装置。
【請求項２】
請求項１に記載の画像表示装置において、
前記画像規定部は、前記第１の表示領域の中心位置と、前記第２の表示領域の中心位置とが略合致するように規定することを特徴とする画像表示装置。
【請求項３】
請求項１乃至２のいずれかに記載の画像表示装置において、
前記表示媒体は、前記画像表示装置が有する少なくとも１つの面に配置され、
前記表示画像規定部は、前記面の一端と、前記第２の表示領域の一端とが略合致するように規定することを特徴とする画像表示装置。
【請求項４】
請求項１乃至３のいずれか１項に記載の画像表示装置において、
前記画像データは、情報を出力する出力装置のデバイスドライバにより生成され、当該出力装置で出力可能なデータであることを特徴とする画像表示装置。
【請求項５】
請求項１乃至３のいずれか１項に記載の画像表示装置において、
前記画像表示装置は、取得した文字や図形を含む画像データを、出力データに変換するデータ変換手段を更に備えることを特徴とする画像表示装置。
【請求項６】
請求項１乃至５のいずれか１項に記載の画像表示装置において、
前記画像表示装置は、前記画像データを第１の表示領域に縮小して表示する画像縮小部を更に備えることを特徴とする画像表示装置。
【請求項７】
第１の表示領域を有する表示媒体に画像を表示する画像表示方法であって、
前記画像のデータを入力する工程と、
前記第１の表示領域に関する情報および前記画像のデータから、前記第１の表示領域よりも大きいサイズの描画領域を持つ出力データを生成する工程と、
仮想的な第２の表示領域を、前記描画領域と略同じサイズで生成する工程と、
前記出力データを、前記第２の表示領域に展開する工程と、
第１の表示領域の所定の位置および第２の表示領域の所定の位置が略一致するように、前記展開された出力データの中から、前記表示体の表示領域の大きさで、表示する画像を規定する工程と、
規定した前記データを前記表示媒体に表示する工程とを備えることを特徴とする画像表示方法。
【発明の詳細な説明】
【技術分野】
【０００１】
本発明は、電子的に記録されている画像を表示する画像表示装置および画像表示方法に関する。
【背景技術】
【０００２】
従来、画像表示端末の表示画面において、印刷した文書のイメージと同じ大きさで表示する方法としては、下記の特許文献１に記載されるように、文書の描画データの中から描画領域と余白領域を識別して余白領域のみを削除し、残った描画領域を詰め、詰めた描画領域を画像処理により拡大して表示していた。
【０００３】
【特許文献１】特開平１１−２１９１６０号公報
【発明の開示】
【発明が解決しようとする課題】
【０００４】
しかしながら、従来の方法では、文書の描画データの中から、描画領域を抽出して拡大表示するには、画像処理が必要であったため、処理が複雑になった。加えて、文書を作成したアプリケーションにより描画データの構造が異なるために、アプリケーション毎に詳細な設定が必要となり、画像表示端末の使い勝手が悪かった。
【課題を解決するための手段】
【０００５】
上記した課題を解決するために、本発明の画像表示装置は、第１の表示領域を有する表示媒体と、前記第１の表示領域よりも大きいサイズの描画領域を持つ画像データを取得する画像データ取得部と、仮想的な第２の表示領域を、前記描画領域と略同じサイズで生成する仮想表示領域生成部と、前記画像データを、前記第２の表示領域に展開する画像データ展開部と、前記第２の表示領域に展開された前記画像データの中から、前記表示媒体で表示する画像を前記第１の表示領域に応じて規定する画像規定部と、前記規定された画像を前記表示媒体に表示する画像表示部とを備えることを特徴とする。
【０００６】
上記構成によれば、表示媒体の表示領域よりも大きいサイズの描画領域を持つ画像データを取得して使用するため、画像の拡大処理は不要であり、加えて、仮想的な表示領域上で画像データを処理するため、アプリケーションに依存しない処理が可能で、アプリケーション毎の設定が不要となり、画像表示端末の使い勝手が向上する。
【０００７】
本発明の画像表示装置では、前記画像規定部は、前記第１の表示領域の中心位置と、前記第２の表示領域の中心位置とが略合致するように規定する場合と、前記表示媒体は、前記画像表示装置が有する少なくとも１つの面に配置され、前記表示画像規定部は、前記面の一端と、前記第２の表示領域の一端とが略合致するように規定する場合とが考えられる。
【０００８】
前記画像規定部が、前記第１の表示領域の中心位置と、前記第２の表示領域の中心位置とが略合致するように規定する場合は、印刷したイメージの中心部が合致したイメージを画像表示装置に表示できる。
【０００９】
また、前記表示媒体が、前記画像表示装置が有する少なくとも１つの面に配置され、前記表示画像規定部が、前記面の一端と、前記第２の表示領域の一端とが略合致するように規定する場合は、印刷したイメージの左上端部が合致したイメージを画像表示装置に表示できる。
【００１０】
本発明の画像表示装置では、前記画像データは、情報を出力する出力装置のデバイスドライバにより生成され、当該出力装置で出力可能なデータであることが好ましい。
【００１１】
上記構成によれば、画像データは出力装置のデバイスドライバで生成されるため、この出力装置で出力したイメージと略同一のイメージを画像表示装置に表示できる。
【００１２】
本発明の画像表示装置では、前記画像表示装置は、取得した文字や図形を含む画像データを、出力データに変換するデータ変換手段を更に備えることが好ましい。
【００１３】
上記構成によれば、入力されたデータは、データ変換手段により出力データに変換される。従って、入力するデータは、出力装置で出力可能なデータに限定されず、デバイスドライバが扱えるどのようなデータでも良い。
【００１４】
本発明の画像表示装置では、前記画像表示装置は、前記画像データを第１の表示領域に縮小して表示する画像縮小部を更に備えることが好ましい。
【００１５】
上記構成によれば、縮小して表示することも可能であるため、用途や画像データの余白領域に応じて、画像データの表示形態を選べる。
【００１６】
上記した課題を解決するために、本発明の画像表示方法は、第１の表示領域を有する表示媒体に画像を表示する画像表示方法であって、前記画像のデータを入力する工程と、前記第１の表示領域に関する情報および前記画像のデータから、前記第１の表示領域よりも大きいサイズの描画領域を持つ出力データを生成する工程と、仮想的な第２の表示領域を、前記描画領域と略同じサイズで生成する工程と、前記出力データを、前記第２の表示領域に展開する工程と、第１の表示領域の所定の位置および第２の表示領域の所定の位置が略一致するように、前記展開された出力データの中から、前記表示体の表示領域の大きさで、表示する画像を規定する工程と、規定した前記データを前記表示媒体に表示する工程とを備えることを特徴とする。
【００１７】
上記方法によれば、請求項１の画像表示装置と同等の効果が得られる。
【発明を実施するための最良の形態】
【００１８】
以下、本発明の実施形態について、画像表示装置の一例として、電子的に記録された文書の内容を表示する電子携帯端末を用いて説明する。
【実施例】
【００１９】
図１は、本発明の実施例に係る電子携帯端末１００の外観上の構成を示す外観構成図である。電子携帯端末１００は、表面がＡ４用紙（２１０ｍｍ×２９７ｍｍ）と略同一であり、この表面には、文字や図形を含む電子文書の内容を表示する液晶表示体８０と、表示する電子文書や、表示形態の選択等を行う操作ボタン１２０とが備わる。この液晶表示体８０は、ＬＣＤ（Liquid Crystal Display）で構成され、表示サイズが１９０ｍｍ×２５０ｍｍである。また、長手方向の一方の側面には、ホストコンピュータ２００（図２）と接続するＵＳＢ端子１２１が備わり、短手方向の一方の側面には、記録メディア９０（図２）上のデータを読み込むメディアドライブ１１６が備わる。
【００２０】
図２は、この電子携帯端末１００のハードウェアの構成を示す図である。この電子携帯端末１００のハードウェアは、ＣＰＵ（Central Processing Unit）１１０と、ＲＯＭ（Read Only Memory）１１１と、ＲＡＭ（Random Access Memory）１１２と、フラッシュメモリ１１３と、ディスプレイコントローラ１１４と、ＶＲＡＭ（Video RAM）１１５と、メディアドライブ１１６と、操作入力部インターフェイス１１７と、通信インターフェイス１１８とを備える。また、これらのハードウェア資源は、バス１１９で互いに接続されている。
【００２１】
ＣＰＵ１１０は、表示制御手段を構成し、ＲＯＭ１１１に格納されているプログラムを必要に応じて読み出し、当該読み出したプログラムをＲＡＭ１１２に展開して記憶する。そしてＣＰＵ１１０は、ＲＡＭ１１２に展開されているプログラムを、必要に応じて読み出し実行することにより、電子携帯端末１００の各ハードウェア資源を制御するように構成されている。
ディスプレイコントローラ１１４は、ＣＰＵ１１０からの指示に従って、ＶＲＡＭ１１５に格納されたデータを、液晶表示体８０で表示させる。
フラッシュメモリ１１３は、ＣＰＵ１１０からの指示に従って、データを一時的に記憶する記憶手段である。
通信インターフェイス１１８は、ホストコンピュータ２００と接続してデータを授受するインターフェィスであり、例えば、ＵＳＢ（Universal Serial Bus）を採用できる。
メディアドライブ１１６は、記録メディア９０の情報の読み出し、書き込みを行う装置であり、記録メディア９０としては、例えばコンパクトフラッシュ（米国SanDisk社の登録商標）などを採用できる。
【００２２】
図３は、電子携帯端末１００の機能構成を示す、機能ブロック図である。この電子携帯端末１００は、画像データ取得部１０と、データ変換手段２０と、表示選択部３０と、仮想表示領域生成部４０と、画像データ展開部５０と、画像規定部６０と、画像表示部７０と、液晶表示体８０と、画像縮小部１５とを備える。これらの各機能部は、前記したハードウェア資源と、ＲＯＭ１１１などに記憶されたソフトウェアとが有機的に協働することにより、それぞれの機能を実現している。
【００２３】
表示選択部３０は、液晶表示体８０に表示する表示モードを、電子携帯端末１００の使用者に選択させる。この表示モードには、「等倍表示モード」と「縮小表示モード」の２つの異なるモードがある。一方の「等倍表示モード」は、この電子携帯端末１００の表面と同じ大きさ、即ちＡ４サイズで印刷したイメージと略同じ大きさのイメージで表示するモードである。また、他方の「縮小表示モード」は、印刷したイメージと同一のイメージを液晶表示体８０に縮小して表示するモードである。
更に、表示選択部３０は、「等倍表示モード」が選択された場合、電子携帯端末１００の使用者に、「左上一致モード」か「中心一致モード」のどちらか一方を選択させる。ここで、「左上一致モード」は、印刷したイメージの左上と、電子携帯端末１００の左上とを一致させるモードであり、「中心一致モード」は、印刷したイメージの中心位置と、電子携帯端末１００の中心位置とを一致させるモードである。
なお、電子携帯端末１００の使用者は、液晶表示体８０に表示される図示を略したユーザインターフェイス画面に従い、操作ボタン１２０を適切に操作することで、これらの表示モードの中から表示するモードを選択できる。
【００２４】
画像データ取得部１０は、ホストコンピュータ２００や記録メディア９０から画像データを取得する。詳述すると、電子携帯端末１００の使用者は、液晶表示体８０に表示される図示を略したユーザインターフェイス画面に従い、操作ボタン１２０を操作することで画像データを選択する。そして、画像データ取得部１０は、ホストコンピュータ２００や記録メディア９０から、選択された画像データを読み込む。
ここで、取得する画像データは、大きく２種類に分類できる。１つは、ホストコンピュータ２００のＯＳ（Operating System）が備えるデバイスドライバ、例えば、プリンタドライバにより生成され、デバイスであるプリンタで印刷可能な画像データであり、他の１つは、例えば、米国マイクロソフト社のＭｉｃｒｏｓｏｆｔ  Ｗｏｒｄのようなアプリケーションソフトウェアで作成され、ファイルで供給されるデータである。
なお、印刷可能なデータとは、そのデータを受信したプリンタ装置が、受信したデータを解釈することで、データの画像イメージを印刷できるようなデータであり、具体的には、画像イメージのデータ、およびプリンタ装置を制御するデータ等で構成される。従って、画像データ取得部１０は、プリンタ装置を制御する制御コードの有無を調べることで、印刷可能なデータか否かを判定できる。
ここで、画像データ取得部１０で取得したデータが、アプリケーションソフトウェアにより作成されたデータであった場合、画像データ取得部１０は、データ変換手段２０を介して、取得したデータを印刷可能なデータに変換するようにプログラムされている。
【００２５】
データ変換手段２０は、ホストコンピュータ２００のＯＳが備えるプリンタドライバと同等の機能を備え、前記したアプリケーションソフトウェアにより作成されたデータを入力して、印刷可能なデータに変換する。
【００２６】
なお、プリンタドライバが印刷可能なデータを作成する際は、印刷するプリンタ固有の能力に関する情報をこのプリンタドライバ内部に備え、この情報に応じて画像イメージを生成している。同様にして、電子携帯端末１００の液晶表示体８０の固有の能力に関する情報についても、電子携帯端末１００からホストコンピュータ２００のプリンタドライバに伝送されるが、表示選択部３０で「等倍表示モード」が選択された場合においては、プリンタドライバに対して、本来の表示能力よりも高い能力が情報として伝わるようにプログラムされている。従って、この情報を受けたプリンタドライバは、液晶表示体８０の表示領域よりも広い領域の画像イメージを生成する。このプリンタドライバに伝わる表示能力については、後述する。他方で、表示選択部３０で「縮小表示モード」が選択された場合においては、本来の表示能力が情報としてプリンタドライバに伝わる。
【００２７】
仮想表示領域生成部４０は、表示選択部３０で「等倍表示モード」が選択された場合において、仮想的な表示領域をメモリ上に生成する。詳述すると、この仮想表示領域生成部４０は、フラッシュメモリ１１３上の領域に、仮想的な表示用領域（仮想ＶＲＡＭ）を確保する。なお、この仮想的な表示用領域は、プリンタドライバが生成した印刷可能なデータの描画領域と同じサイズで生成されるが、この印刷可能なデータの描画領域は、液晶表示体８０の表示領域よりも広く生成される。従って、この仮想的な表示用領域は、液晶表示体８０の表示領域よりも広く生成される。
画像データ展開部５０は、前記した画像イメージのデータを、仮想表示領域生成部４０が生成した仮想的な表示領域に展開する。
【００２８】
画像規定部６０は、表示選択部３０で選択された「等倍表示モード」の２つのモードに従い、仮想的な表示領域からそれぞれ適切な領域を選択する。即ち、一方の「左上一致モード」が選択されている場合は、画像イメージの左上と、電子携帯端末１００の左上とが一致するように領域が選択され、他方の「中心一致モード」が選択されている場合は、画像イメージの中心位置と、電子携帯端末１００の中心位置とが一致するように領域が選択される。領域の選択についての詳細は後述する。
画像縮小部１５は、表示選択部３０で「縮小表示モード」が選択された場合、画像データ取得部１０で取得した画像イメージを液晶表示体８０で一度に表示できるように縮小する。具体的には、この画像縮小部１５は、画像データを適切に間引いて、画像データの描画領域を液晶表示体８０の表示領域に合わせる。
画像表示部７０は、液晶表示体８０で表示する画像データをＶＲＡＭ１１５に転送して描画処理を行い、図示を略した液晶表示体８０の表示制御部を介して、液晶表示体８０に表示する。ここで、表示選択部３０で「等倍表示モード」が選択された場合、画像表示部７０は、画像規定部６０が規定した画像を表示する。また、表示選択部３０で「縮小表示モード」が選択された場合、画像表示部７０は、画像縮小部１５が修正した画像データに基づいて、縮小された画像を表示する。
【００２９】
次に、前述した電子携帯端末１００の構成において、取得した画像データが液晶表示体８０に表示されるまでの流れについて、図３に加え、図４および図５も参照して説明する。図４は、電子携帯端末１００で画像を表示するまでの処理を示すフローチャートであり、図５は、前記したそれぞれの表示モードによる表示例を示す説明図である。
この電子携帯端末１００は、使用を開始すると、先ず、画像のデータを入力する工程を実行する。即ち、電子携帯端末１００は、ホストコンピュータ２００または記録メディア９０から画像データを入力する（ステップＳ１６０）。
【００３０】
次に、電子携帯端末１００は、入力した画像データが、プリンタドライバにより生成された印刷可能なデータか否かを判定する（ステップＳ１６２）。
ここで、入力した画像データが、印刷可能なデータであった場合（ステップＳ１６２でＹｅｓ）、電子携帯端末１００は、表示選択部３０で選択したモードが等倍率モードであるかどうかを判定する工程（ステップＳ１６６）に進む。
また、入力した画像データが、印刷可能なデータでない場合（ステップＳ１６２でＮｏ）、電子携帯端末１００は、データ変換手段２０のプリンタドライバを介して、入力した画像データを印刷可能なデータに変換する（ステップＳ１６４）。
【００３１】
ここで、例えば、画像データの用紙サイズはＡ４であり、液晶表示体８０の画素描画能力は２００ＰＰＩ（１インチ当たり２００画素）であって、表示選択部３０で「等倍表示モード」が選択された場合において、プリンタドライバは、液晶表示体８０で表示可能な画素サイズ（１４９６画素×１９６８画素）の領域よりも大きいサイズの描画領域を持つ画像イメージを生成する工程を実行する。即ち、プリンタドライバは、以下の情報を電子携帯端末１００から取得する。
（１）原稿サイズは、Ａ４サイズ。
（２）表示媒体の解像度は、２００ＰＰＩ。
（３）表示媒体の大きさは、２１０ｍｍ×２９７ｍｍ。
次に、プリンタドライバは、上記データから、１６５４画素×２３３９画素で構成されて、Ａ４の用紙に印刷可能な画像イメージを生成する。
また、表示選択部３０で「縮小表示モード」が選択された場合においては、プリンタドライバは、以下の情報を電子携帯端末１００から取得する。
（１）原稿サイズは、Ａ４サイズ。
（２）表示媒体の解像度は、２００ＰＰＩ。
（３）表示媒体の大きさは、１９０ｍｍ×２５０ｍｍ。
前記した「等倍表示モード」と同様に、プリンタドライバは、上記データから、１４９６画素×１９６８画素で構成されて、Ａ４の用紙に印刷可能な画像イメージを生成する。
【００３２】
次に、表示選択部３０で選択されたモードが、等倍率表示を行う「等倍表示モード」であるかどうかを判定する（ステップＳ１６６）。
ここで、表示選択部３０において「縮小表示モード」が選択された場合（ステップＳ１６６でＮｏ）、電子携帯端末１００は、選択された画像イメージのデータを液晶表示体で表示する工程（ステップＳ１７４）に進む。
また、表示選択部３０において「等倍表示モード」が選択された場合（ステップＳ１６６でＹｅｓ）、電子携帯端末１００は、プリンタドライバが描画イメージを保持可能なサイズで仮想的な表示領域をメモリ上に生成する工程を実行する（ステップＳ１６８）。より具体的には、電子携帯端末１００は、フラッシュメモリ１１３上に、プリンタドライバが生成した１６５４画素×２３３９画素の画像イメージを保持できるような領域（仮想ＶＲＡＭ）を確保する。
【００３３】
次に、電子携帯端末１００は、印刷可能なデータを仮想表示領域に展開する工程を実行する（ステップＳ１７０）。具体的には、画像データ展開部５０は、フラッシュメモリ１１３上に確保した領域に、プリンタドライバが生成した画像イメージのデータを転送する。
次に、電子携帯端末１００は、液晶表示体８０の所定の位置および仮想表示領域の所定の位置が略一致するように、仮想表示領域のデータの中から、液晶表示体で表示する領域を規定する工程を実行する（ステップＳ１７２）。具体的には、画像規定部６０は、表示選択部３０で選択した表示モードに合わせ、フラッシュメモリ１１３上の仮想ＶＲＡＭに格納された画像データ（１６５４画素×２３３９画素）の中から、液晶表示体８０で表示可能な画素サイズ（１４９６画素×１９６８画素）の領域を、液晶表示体８０で表示する領域として規定する。ここで、それぞれの表示モードにおける表示の違いを図５で説明する。
【００３４】
表示選択部３０で「左上一致モード」が選択された場合においては、（ａ）左上一致モードのように、液晶表示体８０ａ上で、印刷イメージ１５０の左上の端点１５２と、電子携帯端末１００の左上の端点１０２とが一致して表示されるべく、画像規定部６０は、仮想ＶＲＡＭの画像データを選択する。即ち、画像規定部６０は、仮想ＶＲＡＭの画像データの中から、左上端部を表示する画素を起点に、１４９６画素×１９６８画素分の画素のデータを液晶表示体８０で表示する領域と規定する。
他方、表示選択部３０で「中心一致モード」が選択された場合においては、（ｂ）中心一致モードのように、液晶表示体８０ｂ上で、印刷イメージ１５０の中心位置１５４と、電子携帯端末１００の中心位置１０４とが一致して表示されるべく、画像規定部６０は、仮想ＶＲＡＭのデータを選択する。即ち、画像規定部６０は、仮想ＶＲＡＭの画像データの中から、データの中心位置を中心として均等に、１４９６画素×１９６８画素分の画素のデータを液晶表示体８０で表示する領域と規定する。
【００３５】
ここで、図４にもどり、次に、電子携帯端末１００は、規定された画像データを、液晶表示体上に表示する工程を実行する（ステップＳ１７４）。
以上の工程により、それぞれの表示モードに応じて、図５に示すように電子携帯端末１００に画像イメージは、液晶表示体８０上に表示される。即ち、「等倍表示モード」である（ａ）左上一致モードや（ｂ）中心一致モードの場合は、印刷イメージ１５０と同じ大きさで、それぞれ液晶表示体８０ａおよび液晶表示体８０ｂのように表示される。また、（ｃ）縮小モードの場合は、液晶表示体８０ｃのように、印刷イメージ１５０の全体像が、液晶表示体８０ｃに収まるように縮小されて表示される。
【００３６】
以上述べたような実施例によれば、次のような効果がある。
（１）「等倍表示モード」により、液晶表示体８０で表示される画像イメージと、用紙に印刷された印刷イメージとが同じ大きさで表示されるため、用紙へ印刷する前に、印刷画像と同じイメージを液晶表示体８０上に表示できる。
（２）「等倍表示モード」により、画像イメージの周囲にアプリケーションソフトウェアにより自動生成される余白部分の一定領域を、除去して表示できる。
（３）表示するコンテンツにより、「等倍表示モード」で表示すると、コンテンツの一部が欠けて表示される場合は、画像イメージを縮小して全面表示する「縮小表示モード」を備えることで、あらゆるコンテンツに対応できる。
（４）表示する画像イメージは、プリンタドライバで生成するため、印刷イメージと同等な画像イメージを取得する特別な画像イメージ生成ソフトを備える必要はなく、印刷イメージを表示する電子携帯端末１００を安価に提供できる。
【００３７】
以上、本発明の画像表示装置を図示した実施形態に基づいて説明したが、本発明は、これに限定されるものではなく、以下の述べるような変形例も想定できる。
（１）画像イメージを表示する表示体は、液晶表示体に限らず、マイクロカプセルによる電気泳動方式のように表示記憶性を備えた表示体でも良い。
（２）画像データを生成するデバイスドライバは、プリンタドライバに限らず、例えば、電子携帯端末１００をデバイスとして、この電子携帯端末１００専用のフォーマットでデータを記述するデバイスドライバを用いても良い。
（３）画像を表示する画像表示方法の各工程は、電子携帯端末１００側の機能として限定するものでは無く、一部の機能をホストコンピュータ２００側に分担させても良い。
【図面の簡単な説明】
【００３８】
【図１】本発明の実施例に係る電子携帯端末の構成を示す外観構成図。
【図２】電子携帯端末のハードウェアの構成を示す図。
【図３】電子携帯端末の機能構成を示す機能ブロック図。
【図４】電子携帯端末で画像を表示するまでの処理を示すフローチャート。
【図５】電子携帯端末の表示モードによる表示例を示す説明図。
【符号の説明】
【００３９】
１０…画像データ取得部、２０…データ変換手段、３０…表示選択部、４０…仮想表示領域生成部、５０…画像データ展開部、６０…画像規定部、７０…画像表示部、８０…液晶表示体、９０…記録メディア、１００…電子携帯端末、１１０…ＣＰＵ、１１１…ＲＯＭ、１１２…ＲＡＭ、１１３…フラッシュメモリ、１１４…ディスプレイコントローラ、１１５…ＶＲＡＭ、１１６…メディアドライブ、１１７…操作入力部インターフェイス、１１８…通信インターフェイス、１１９…バス、１２０…操作ボタン、１２１…ＵＳＢ端子、１５０…印刷イメージ、２００…ホストコンピュータ。
【図１】
2006023605.tif 000003
【図２】
2006023605.tif 000004
【図３】
2006023605.tif 000005
【図４】
2006023605.tif 000006
【図５】
2006023605.tif 000007